(57)【要約】      （修正有）【課題】プロンプターと飛沫防止の両機能を備えたハーフミラー付き飛沫防止パネルとハーフミラー付き飛沫防止パネルユニットを提供する。【解決手段】ハーフミラー付き飛沫防止パネル１０は、話し手の前面に配置して使用される飛沫防止用の透明パネル１１の一部に、表示モニター４０に表示された反転映像を反射するハーフミラー１２が設けられたものである。透明パネル１１の話し手側面のハーフミラー１２を除く部分には、反射防止膜を設けることができる。反射防止膜は、聞き手側のハーフミラー視認部を除く部分にも設けることができる。ハーフミラー付き飛沫防止パネルユニット３０は、ハーフミラー付き飛沫防止パネル１０が保持手段２０で保持されたものである。ハーフミラー付き飛沫防止パネル１０は保持手段２０によって角度調整できるように保持することができる。【選択図】図１
0003229929.tif 000002
【実用新案登録請求の範囲】
【請求項１】
話し手の前面に配置して使用される飛沫防止用の透明パネルにおいて、
前記透明パネルの一部に、表示モニターに表示された反転映像を反射するハーフミラーが設けられた、
ことを特徴とするハーフミラー付き飛沫防止パネル。
【請求項２】
請求項１記載のハーフミラー付き飛沫防止パネルにおいて、
透明パネルの話し手側面のハーフミラーを除く部分に反射防止膜が設けられた、
ことを特徴とするハーフミラー付き飛沫防止パネル。
【請求項３】
請求項１又は請求項２記載のハーフミラー付き飛沫防止パネルにおいて、
聞き手側面の全面又は聞き手側面のハーフミラー視認部を除く部分に反射防止膜が設けられた、
ことを特徴とするハーフミラー付き飛沫防止パネル。
【請求項４】
請求項１から請求項３のいずれか１項に記載のハーフミラー付き飛沫防止パネルにおいて、
透明パネルの表面、反射防止膜の表面、又は／及びハーフミラーの表面に抗菌・抗ウイルス層が設けられた、
ことを特徴とするハーフミラー付き飛沫防止パネル。
【請求項５】
飛沫防止パネルが保持手段で保持された飛沫防止パネルユニットにおいて、
前記飛沫防止パネルが請求項１から請求項４のいずれか１項に記載のハーフミラー付き飛沫防止パネルである、
ことを特徴とするハーフミラー付き飛沫防止パネルユニット。
【請求項６】
請求項５記載のハーフミラー付き飛沫防止パネルユニットにおいて、
ハーフミラー付き飛沫防止パネルが保持手段によって角度調整可能に保持された、
ことを特徴とするハーフミラー付き飛沫防止パネルユニット。
【考案の詳細な説明】
【技術分野】
【０００１】
本考案は、プロンプターの機能を備えた飛沫防止パネル（ハーフミラー付き飛沫防止パネル）と、当該ハーフミラー付き飛沫防止パネルを備えたハーフミラー付き飛沫防止パネルユニットに関する。
【背景技術】
【０００２】
記者会見や演説、講演のように記者や聴衆（以下「聞き手」という）を集めて話をする際には、話し手が目線を落とさずに原稿を読むことができるプロンプター（たとえば、特許文献１）や、話し手の飛沫を防止するための透明の飛沫防止パネル（たとえば、特許文献２）が使用される。新型コロナウイルスの感染拡大が世界的な大問題となっている昨今では、このような飛沫防止パネルが利用される機会が増えている。
【先行技術文献】
【特許文献】
【０００３】
【特許文献１】登録実用新案第３１７９１１９号公報
【特許文献２】登録実用新案第３２２７４８８号公報
【考案の概要】
【考案が解決しようとする課題】
【０００４】
飛沫防止パネルとプロンプターを併用する場合、飛沫防止パネルが話し手とプロンプターの間に配置されるため、話し手側からプロンプターを見にくくなることがあり、解決手段の提案が求められている。
【０００５】
本考案はかかる事情に鑑みてなされたものであり、その解決課題は、プロンプター機能と飛沫防止機能の両機能を兼ね備えたハーフミラー付き飛沫防止パネルと、当該ハーフミラー付き飛沫防止パネルを備えたハーフミラー付き飛沫防止パネルユニットを提供することにある。
【課題を解決するための手段】
【０００６】
［ハーフミラー付き飛沫防止パネル］
本考案のハーフミラー付き飛沫防止パネルは、話し手の前面に配置して使用される飛沫防止用の透明パネルの一部に、表示モニターに表示された反転映像を反射するハーフミラーが設けられたものである。透明パネルの話し手側面のハーフミラーを除く部分には、反射防止膜を設けることができる。反射防止膜は、聞き手側のハーフミラー視認部を除く部分にも設けることができる。
【０００７】
［ハーフミラー付き飛沫防止パネルユニット］
本考案のハーフミラー付き飛沫防止パネルユニットは、前記ハーフミラー付き飛沫防止パネルが保持手段で保持されたものである。ハーフミラー付き飛沫防止パネルは、保持手段によって角度調整できるようにしてもよい。
【考案の効果】
【０００８】
本考案のハーフミラー付き飛沫防止パネルは、飛沫防止用の透明パネルの一部に表示モニターに表示された反転映像を反射するハーフミラーが設けられ、話し手とプロンプターの間に飛沫防止パネルが配置されることがないため、飛沫防止パネルによってプロンプターが見にくくなるという問題を解消することができる。本考案のハーフミラー付き飛沫防止パネルユニットにも同様の効果がある。
【図面の簡単な説明】
【０００９】
【図１】本考案のハーフミラー付き飛沫防止パネルユニットの使用状態の一例を示す斜視図。
【図２】（ａ）は図１に示すハーフミラー付き飛沫防止パネルの正面図、（ｂ）は（ａ）の左側面図。
【図３】（ａ）は図２（ａ）のハーフミラー付き飛沫防止パネルを話し手側から見た場合の説明図、（ｂ）は図２（ａ）のハーフミラー付き飛沫防止パネルを聞き手側から見た場合の説明図。
【図４】ハーフミラーの構造説明図。
【図５】（ａ）は反射防止膜の構造説明図、（ｂ）は反射防止膜の外側に抗菌・抗ウイルス層が設けられた場合の構造説明図。
【図６】プロンプターの原理説明図。
【考案を実施するための形態】
【００１０】
（実施形態）
本考案のハーフミラー付き飛沫防止パネル１０及びハーフミラー付き飛沫防止パネルユニット３０の実施形態の一例を、図面を参照して説明する。一例として図１及び図２（ａ）（ｂ）に示すハーフミラー付き飛沫防止パネルユニット３０は、ハーフミラー付き飛沫防止パネル１０と保持手段２０を備えている。
【００１１】
この実施形態のハーフミラー付き飛沫防止パネル１０は、飛沫防止用の透明パネル１１の一部に、表示モニターに表示された反転映像を反射するハーフミラー１２が設けられている。この実施形態では、透明パネル１１としてアクリル板を用いている。透明パネル１１はガラスなど、アクリル板以外の透明板で代用することもできる。
【００１２】
透明パネル１１は、話し手の手前に設置して話し手の飛沫の飛散を防止するものであり、少なくとも話し手の顔のサイズ以上の面積のものを用いるのが好ましい。この実施形態では、縦５６０ｍｍ×横８３０ｍｍのアクリル板を用いている。ここで示したサイズは一例であり、透明パネル１１はこれより大きくても小さくてもよい。また、透明パネル１１は横長である必要はなく、縦長あるいは正方形であってもよい。透明パネル１１は四角形以外の形状とすることもできる。
【００１３】
図３（ａ）はハーフミラー付き飛沫防止パネル１０を話し手側の面（以下「話し手側面」という）から見た場合の正面図である。図３（ａ）に示すように、透明パネル１１の中央下寄りの位置には、表示モニター４０（図１）に表示された反転映像を反射するハーフミラー１２が設けられている。
【００１４】
図４に示すように、この実施形態のハーフミラー１２は、屈折率ｎ＝１．４６程度の低屈折率層１２ａと屈折率ｎ＝２．４程度の高屈折率層１２ｂが数十層積層された誘電体多層膜である。ハーフミラー１２は、波の干渉（重なり）を利用して波を増幅させミラー効果を得るものである。低屈折率層１２ａは屈折率の低いＳｉＯ２で、高屈折率層１２ｂは屈折率の高いＴｉＯ２で構成することができる。この実施形態では、各層の膜厚や膜層数を調整してハーフミラー１２の透過率が７０％となるようにしてある。
【００１５】
ハーフミラー１２の膜厚や膜層数は、所望の透過率のハーフミラー１２を得られるように適宜調整することができる。ハーフミラー１２は、蒸着によって作製することができる。ハーフミラー１２は透明パネル１１の中央下寄り以外の位置に作製することもできる。
【００１６】
透明パネル１１の話し手側面のうち、ハーフミラー１２以外の部分（以下「非ハーフミラー」という）１３には、反射防止膜１４が設けられている。図５（ａ）に示すように、この実施形態の反射防止膜１４は、反射防止膜第一屈折層１４ａ、反射防止膜第二屈折層１４ｂ、反射防止膜第三屈折層１４ｃの三層で構成された多層反射防止膜（誘電体多層膜）である。反射防止膜１４は、波の干渉（打ち消し）を利用して反射を低減させるものである。
【００１７】
前記ハーフミラー１２と同様、反射防止膜第一屈折層１４ａと反射防止膜第三屈折層１４ｃは屈折率の低いＳｉＯ２で構成された低屈折層（屈折率ｎ＝１．４６）であり、反射防止膜第二屈折層１４ｂは屈折率の高いＴｉＯ２で構成された高屈折層（屈折率ｎ＝２．４）である。この実施形態では、各層の厚さを調整して反射率が０．５％以下となるようにしてある。なお、この実施形態では、最外層である反射防止膜第三屈折層１４ｃはハードコート（たとえば、表面硬度（引っかき硬度（鉛筆法））４Ｈ程度）となるように、他の層よりも厚めに構成してある。
【００１８】
ハーフミラー１２と同様、反射防止膜１４は単層や二層、四層以上の屈折層で構成することもできる。反射防止膜１４は、蒸着によって作製することができる。
【００１９】
図３（ｂ）はハーフミラー付き飛沫防止パネル１０を聞き手側の面（以下「聞き手側面」という）から見た場合の正面図である。この図に示すように、聞き手側面からは、話し手側面に形成されたハーフミラー１２を視認することができる。以下では、聞き手側面のうち、ハーフミラー１２を視認できる部分をハーフミラー視認部１５という。
【００２０】
透明パネル１１の聞き手側面のうち、ハーフミラー視認部１５以外の部分には、話し手側面に形成された反射防止膜１４と同様の反射防止膜１４（説明の便宜上、以下では、話し手側面の反射防止膜１４を「第一反射防止膜１４ｘ」、聞き手側面の反射防止膜１４を「第二反射防止膜１４ｙ」という）が設けられている。第二反射防止膜１４ｙの構成は第一反射防止膜１４ｘと同様である。
【００２１】
この実施形態では、話し手側面と聞き手側面の双方に反射防止膜１４を設ける場合を一例としているが、反射防止膜１４は話し手側面と聞き手側面のいずれか一方にのみ設けることもできる。
【００２２】
また、この実施形態では、聞き手側面のハーフミラー視認部１５以外の部分に第二反射防止膜１４ｙを設ける場合を一例としているが、第二反射防止膜１４ｙは、ハーフミラー視認部１５を含む聞き手側面の全面に設けることもできる。反射防止膜１４は必要に応じて設ければよく、不要な場合には省略することもできる。
【００２３】
一般的な飛沫防止用の透明パネル（多くの場合はアクリル板）には反射防止加工が施されていないため、光や人の映り込みによって聞き手側から話し手が見づらくなることがある。これに対し、この実施形態のハーフミラー付き飛沫防止パネル１０のように、話し手側面と聞き手側面の双方又はいずれか一方に反射防止膜１４を設けることで、反射を防止して光や人の映り込みによる見づらさを解消することができる。
【００２４】
図５（ｂ）に示すように、透明パネル１１の表面、反射防止膜１４の表面、又は／及びハーフミラー１２の表面には、抗菌・抗ウイルス効果を有する抗菌・抗ウイルス層１６を設けることもできる。
【００２５】
抗菌・抗ウイルス層１６は、たとえば、抗菌・抗ウイルス効果を有する液を透明パネル１１の噴霧し、当該液を自然乾燥させることで作製（成膜）することができる。抗菌・抗ウイルス効果を有する液は新規のものでも既存のものでもよい。既存のものとしては、たとえば、株式会社ＹＯＯコーポレーション製の無光触媒（商品名：エコキメラ（登録商標））などを用いることができる。抗菌・抗ウイルス層１６は、抗菌・抗ウイルス効果を有するシートを透明パネル１１や反射防止膜１４、ハーフミラー１２の表面に貼付して作製することもできる。
【００２６】
図５（ｂ）のように、抗菌・抗ウイルス層１６は、話し手側面と聞き手側面の双方に設けることも、いずれか一方の面のみに設けることもできる。抗菌・抗ウイルス層１６を設けることで、新型コロナウイルスをはじめ、ＳＡＲＳコロナウイルスやＭＥＲＳコロナウイルス、インフルエンザウイルス、その他の既知若しくは未知のウイルスが流行した際に、感染拡大を効果的に防止することが期待できる。ただし、抗菌・抗ウイルス層１６は必要に応じて設ければよく、不要な場合には省略することができる。
【００２７】
前記保持手段２０は、ハーフミラー付き飛沫防止パネル１０を縦向きに保持するための手段である。一例として図１及び図２（ａ）（ｂ）に示す保持手段２０は、床に立設して使用する床置きタイプのものである。
【００２８】
図１及び図２（ａ）（ｂ）に示すように、この実施形態の保持手段２０は、ハーフミラー付き飛沫防止パネル１０の幅方向に間隔をあけて配置された二本の脚２１、２２を備えている。
【００２９】
図２（ａ）（ｂ）に示すように、この実施形態の二本の脚２１、２２は横材２１ａ、２２ａの中央から支柱２１ｂ、２２ｂが立設した下向きＴ字状であり、横材２１ａ、２２ａの底面側には移動用のキャスタ２１ｃ、２２ｃが前後に間隔をあけて二つ設けられている。この実施形態の脚２１、２２はステンレス材で構成されている。
【００３０】
前記二本の脚２１、２２の上方寄りの位置には、横長方形状の補強板２３が架設されている。補強板２３にはポリカーボネート板やアルミ板、ＳＵＳ板などを用いることができる。
【００３１】
両支柱２１ｂ、２２ｂのうち、補強板２３の架設位置よりも上側の位置にはハーフミラー付き飛沫防止パネル１０を保持するパネル保持具２４が設けられている。この実施形態のパネル保持具２４は、ハーフミラー付き飛沫防止パネル１０を挟持する構造のものである。透明パネル１１の保持位置を変えることで、透明パネル１１の高さを調整できるように構成されている。
【００３２】
両パネル保持具２４は両支柱２１ｂ、２２ｂの上端寄りの位置にブラケット２５を介して回転可能に連結されている。パネル保持具２４で保持されたハーフミラー付き飛沫防止パネル１０は、傾斜角度θ（図２（ｂ）及び図６）を０°〜４５°の範囲で変えられるようにしてある。前記パネル保持具２４の構造は一例であり、パネル保持具２４はこれ以外の構造であってもよい。
【００３３】
図１及び図２（ａ）（ｂ）に示すように、両脚２１、２２の間には演台Ａが配置されている。演台Ａにはハーフミラー１２に反射させる映像（原稿）を表示するための表示モニター４０が載置されている。
【００３４】
表示モニター４０は、ハーフミラー１２と対向するように、所定の角度をもって載置される。表示モニター４０には、ＬＣＤ（液晶ディスプレイ）やタブレット等を用いることができる。この実施形態では、表示モニター４０としてＮｅｘｔｅｃｈ社の高輝度ＬＣＤ（型番：ＮＴＳＭ１７００  Ｖ４）を用いているが、表示モニター４０はこれ以外であってもよい。
【００３５】
（その他の実施形態）
前記実施形態では、保持手段２０が床置きタイプの場合を一例としているが、保持手段２０は机の上に置いて使用する卓上タイプのものであってもよい。また、保持手段２０は、天井などの高所から吊り下げて保持する吊り下げタイプのものであってもよい。
【００３６】
本考案は、前記各実施形態の構造、形状のものに限定されるものではなく、その要旨を逸脱しない限りにおいて種々の変形、変更が可能である。
【００３７】
（作用）
図６に示すように、この実施形態のハーフミラー付き飛沫防止パネルユニット３０では、図示しないＰＣ等から送信された映像（原稿）が表示モニター４０に反転映像として表示されると、当該反転映像がハーフミラー付き飛沫防止パネル１０のハーフミラー１２で反射し、ハーフミラー１２の奥側（聞き手側）に正しい向き（読める向き）で虚像５０が表示される。話し手はこの虚像５０を見ながら話をすることができる。また、この実施形態では、反射防止膜１４が設けられた部分では反射が防止され、光や人の映り込みがないため、聞き手側から話し手をクリアに視認することができる。
【産業上の利用可能性】
【００３８】
本考案のハーフミラー付き飛沫防止パネル１０及びハーフミラー付き飛沫防止パネルユニット３０は、記者会見や演説、講演など、聞き手を集めて話をする際に、話し手の前面に配置して使用することができる。
【符号の説明】
【００３９】
１０    ハーフミラー付き飛沫防止パネル
１１    透明パネル
１２    ハーフミラー
１２ａ  低屈折率層
１２ｂ  高屈折率層
１３    非ハーフミラー
１４    反射防止膜
１４ａ  反射防止膜第一屈折層
１４ｂ  反射防止膜第二屈折層
１４ｃ  反射防止膜第三屈折層
１４ｘ  第一反射防止膜
１４ｙ  第二反射防止膜
１５    ハーフミラー視認部
１６    抗菌・抗ウイルス層
２０    保持手段
２１、２２  脚
２１ａ、２２ａ  横材
２１ｂ、２２ｂ  支柱
２１ｃ、２２ｃ  キャスタ
２３    補強板
２４    パネル保持具
２５    ブラケット
３０    ハーフミラー付き飛沫防止パネルユニット
４０    表示モニター
５０    虚像
Ａ      演台
【図１】
0003229929.tif 000003
【図２】
0003229929.tif 000004
【図３】
0003229929.tif 000005
【図４】
0003229929.tif 000006
【図５】
0003229929.tif 000007
【図６】
0003229929.tif 000008